(57)【要約】【課題】回転によって撮像装置の上下左右位置から液晶表示装置を確認することができる構成のミラーアクセサリが装着されたとき、ユーザーが見やすいように液晶表示装置に表示されている画像を変更することができる撮像装置を提供する。【解決手段】デジタルカメラは、液晶表示装置１１０の中心を軸に回転可能に構成されており角度調節が可能なミラー２０４を有し、液晶表示装置１１０に表示された画像を、ミラー２０４を介して確認することができるミラーアクセサリ１１３が取り付けられる。そして、ミラーアクセサリ１１３が装着されているときに、ミラー２０４の回転角度を検出する回転角度検出部１１１と、回転角度検出部１１１の検出結果に応じて、液晶表示装置１１０における画像表示を行うシステム制御部１０６を備える。【選択図】図１
2010233014.tif 000002
【特許請求の範囲】
【請求項１】
液晶表示装置の中心を軸に回転可能に構成されており角度調節が可能なミラーを有し、前記液晶表示装置に表示された画像を、前記ミラーを介して確認することができるミラーアクセサリを取り付け可能な撮像装置であって、
前記ミラーアクセサリが装着されているときに、前記ミラーの回転角度を検出する回転角度検出手段と、
前記回転角度検出手段の検出結果に応じて、前記液晶表示装置における画像表示を行う画像表示制御手段と、
を備えることを特徴とする撮像装置。
【請求項２】
前記液晶表示装置に、各画素内に光センサ回路を有する光センサ内蔵システム液晶を用い、前記ミラーアクセサリの裏面に光を反射するマーカを有し、
前記回転角度検出手段は、前記光センサ内蔵システム液晶によって検出される前記マーカの位置に基づいて、前記ミラーの回転角度を検出することを特徴とする請求項１記載の撮像装置。
【請求項３】
前記液晶表示装置に外光検出センサを有し、前記ミラーアクセサリを前記液晶表示装置に取り付けたとき、前記外光検出センサに被るように前記ミラーアクセサリの裏面に光を反射する半円弧形状の第１のマーカ及び第２のマーカを有し、
前記回転角度検出手段は、前記第１及び第２のマーカが前記外光検出センサに被っているか否かによって、前記ミラーの回転角度を検出することを特徴とする請求項１記載の撮像装置。
【発明の詳細な説明】
【技術分野】
【０００１】
本発明は、撮像装置に関し、特に、ミラーアクセサリ装着時の液晶表示装置の表示技術に特徴のある撮像装置に関する。
【背景技術】
【０００２】
撮像装置における液晶表示装置の表示に関しては、例えば、特許文献１に開示された技術がある。
【０００３】
上記技術では、デジタルカメラをクレードルに装着した際に画像表示部を覆うクレードルの壁面部分が回動自在な可動壁によって構成され、画像表示部の表示画面に対向する可動壁の内側に鏡が形成されており、上方向から液晶表示装置を確認することができる。
【先行技術文献】
【特許文献】
【０００４】
【特許文献１】特開２００３−０３２５２８号公報
【発明の概要】
【発明が解決しようとする課題】
【０００５】
カメラを頭上に掲げて撮影を行うときや、カメラを足元において撮影を行うときに、液晶表示装置を見ながらライブビュー撮影を行えることが望ましい。そのために、液晶表示装置をバリアアングル構造とし、シーンの撮影時に液晶表示装置を見ながら撮影することができるカメラはあるが、バリアアングル構造をしていないカメラでは対応できない。
【０００６】
上記従来技術のように、クレードルに可動鏡を備え、液晶表示装置を確認できるというものがあるが、あくまでクレードルに備えられた可動鏡であるため、上方向から覗かれることにしか対応していない。
【０００７】
可動鏡が回転する構成のミラーアクセサリを装着すれば、バリアアングル構造をしていないカメラにおいても、上下左右位置から液晶表示装置を確認することに対応することができる。
【０００８】
しかし、回転によって上下左右の位置から可動鏡を覗くことができるアクセサリ構成の場合、アクセサリの向いている方向・カメラの縦横位置によって、液晶表示装置に表示される画像の向きや方向を、ユーザー視点に対応させた変更を行う必要が生じる。
【０００９】
本発明の目的は、回転によって撮像装置の上下左右位置から液晶表示装置を確認することができる構成のミラーアクセサリが装着されたとき、ユーザーが見やすいように液晶表示装置に表示されている画像を変更することができる撮像装置を提供することにある。
【課題を解決するための手段】
【００１０】
上記目的を達成するために、本発明の撮像装置は、液晶表示装置の中心を軸に回転可能に構成されており角度調節が可能なミラーを有し、前記液晶表示装置に表示された画像を、前記ミラーを介して確認することができるミラーアクセサリを取り付け可能な撮像装置であって、前記ミラーアクセサリが装着されているときに、前記ミラーの回転角度を検出する回転角度検出手段と、前記回転角度検出手段の検出結果に応じて、前記液晶表示装置における画像表示を行う画像表示制御手段とを備えることを特徴とする。
【発明の効果】
【００１１】
本発明によれば、回転によって撮像装置の上下左右位置から液晶表示装置を確認することができる構成のミラーアクセサリが装着されたとき、ユーザーが見やすいように液晶表示装置に表示されている画像を変更することができる。
【図面の簡単な説明】
【００１２】
【図１】本発明の実施の形態に係る撮像装置としてのデジタルカメラのシステム構成を示すブロック図である。
【図２】図１におけるミラーアクセサリ１１３の構成図である。
【図３】図２のミラーアクセサリ１１３の第１の実施の形態の裏面図である。
【図４】図１のデジタルカメラの第１の実施の形態の裏面図である。
【図５】図４のデジタルカメラにおいて、図３のミラーアクセサリ１１３を装着した状態を示す図である。
【図６】図１のデジタルカメラによって実行されるミラーアクセサリ装着時の回転角度検出による撮影処理の手順を示すフローチャートである。
【図７Ａ】図１における液晶表示装置１１０における画像表示の状態を説明する図である。
【図７Ｂ】図１における液晶表示装置１１０における画像表示の状態を説明する図である。
【図７Ｃ】図１における液晶表示装置１１０における画像表示の状態を説明する図である。
【図７Ｄ】図１における液晶表示装置１１０における画像表示の状態を説明する図である。
【図７Ｅ】図１における液晶表示装置１１０における画像表示の状態を説明する図である。
【図８】図２のミラーアクセサリ１１３の第２の実施の形態の裏面図である。
【図９】図１のデジタルカメラの第２の実施の形態の裏面図である。
【図１０】図９のデジタルカメラにおいて、図８のミラーアクセサリ１１３を装着した状態を示す図である。
【発明を実施するための形態】
【００１３】
以下、本発明を図面を参照しながら詳細に説明する。
【００１４】
図１は、本発明の実施の形態に係る撮像装置としてのデジタルカメラのシステム構成を示すブロック図である。
【００１５】
本デジタルカメラは、ミラーアクセサリ１１３が取り付け可能である。そして、ミラーアクセサリ１１３は、液晶表示装置１１０の中心を軸に回転可能に構成されており角度調節が可能なミラー２０４を有し、液晶表示装置１１０に表示された画像を、ミラー２０４を介して確認することができる。
【００１６】
図１において、撮影レンズ１０１、絞り１０２は、カメラ制御マイコン（マイクロコンピュータ）１０８より送信された信号により動作する、フォーカス制御部１０９により適切な状態に制御される。
【００１７】
ＡＧＣ（オートゲインコントローラ）１０４は、撮像素子１０３の出力を増幅するものであり、カメラ制御マイコン１０８からの信号によって増幅率が調節される。ＡＧＣ１０４の出力を、Ａ／Ｄ変換器１０５でＡ／Ｄ変換してデジタル信号に変換し、システム制御部１０６によって、さまざまな画像系のデジタル信号処理を行う。
【００１８】
記録装置１０７は、システム制御部１０６からの出力を半導体メモリ等の記録媒体に記録するものである。液晶表示装置１１０においては、図示しないスイッチによりカメラが画像表示モードにされる、もしくはクイックレビューなどのモードに入ると、システム制御部１０６は、画像表示部１１２に画像を表示させる。
【００１９】
また、図示しないスイッチによりカメラがライブビューモードに設定されると、システム制御部１０６は、前述した一連の動作を経て処理されたライブビュー動画を、画像表示部１１２へ表示する。
【００２０】
液晶表示装置１１０は、回転角度検出部１１１を備えており、ミラー１１４を備えるミラーアクセサリ１１３が装着されると、ミラーアクセサリ１１３の装着角度を回転角度検出部１１１により検出する。システム制御部１０６は、回転角度検出部１１１により検出された角度に対応した、ユーザーが見やすい角度・方向・大きさの画像及び動画を、画像表示部１１２に表示させる。
【００２１】
図２は、図１におけるミラーアクセサリ１１３の構成図であり、（ａ）は正面図、（ｂ）は側面図である。
【００２２】
ミラーアクセサリ１１３は、土台２０１によって液晶表示装置１１０に取り付けられ、土台２０１の中に、液晶表示装置１１０の中心を軸に回転可能な円台２０２を備える。円台２０２の中には、ヒンジ２０３を支点に開閉可能な開閉窓と鏡面とからなるミラー２０４が配置される。
【００２３】
ユーザーは、カメラを頭上に掲げるなどの状態でミラー２０４を覗くことにより、システム制御部１０６によって画像を表示された液晶表示装置１１０の画像表示部１１２を見ることができる。
【００２４】
（第１の実施の形態）
図３は、図２のミラーアクセサリ１１３の第１の実施の形態の裏面図、図４は、図１のデジタルカメラの第１の実施の形態の裏面図、図５は、図４のデジタルカメラにおいて、図３のミラーアクセサリ１１３を装着した状態を示す図である。
【００２５】
図３において、ミラー２０４が被らない円台２０２の部分に、反射板などで構成した反射印３０１を配置する。また、図４において、液晶表示装置１１０に、光センサ内蔵システム液晶３０２を用いる。
【００２６】
光センサ内蔵システム液晶３０２は、光センサ回路を画像表示部１１２の各画素内に持つことにより光信号を読み取ることができ、反射光を発する反射印３０１が液晶表示装置１１２のどの部分にあるか検出可能である。
【００２７】
そして、図５において、装着されたミラーアクセサリ１１３の円台２０２が回転すると同時に、裏面に配置された光を反射するマーカ３０１も回転し、その反射光を光センサ内蔵システム液晶３０２が検出することにより、ミラー２０４の回転角度を検出する。
【００２８】
図６は、図１のデジタルカメラによって実行されるミラーアクセサリ装着時の回転角度検出による撮影処理の手順を示すフローチャートである。
【００２９】
本フローチャートは、図１におけるシステム制御部１０６の制御の下に実行される。各処理ステップには符号Ｓを付す。
【００３０】
Ｓ１１において、ミラーアクセサリ１１３が装着されると、Ｓ１２で、システム制御部１０６は、回転角度検出部１１１によりミラー２０４の角度を検出する。次に、Ｓ１３では、Ｓ１２で検出されたミラー２０４の角度に合わせた画像が画像表示部１１２に表示される。
【００３１】
ここで、Ｓ１３（システム制御部１０６）は、回転角度検出部１１１の検出結果に応じて、液晶表示装置１１０における画像表示を行う画像表示制御手段として機能する。
【００３２】
Ｓ１４において、システム制御部１０６は、ミラー２０４の角度が変更されたことを検出すると、Ｓ１３に戻り、再度、ミラー２０４の角度に合わせた画像表示を行う。そして、Ｓ１５で撮影動作を行い、本処理を終了する。
【００３３】
図７Ａ〜図７Ｅは、図１における液晶表示装置１１０における画像表示の状態を説明する図である。
【００３４】
図７Ａは、液晶表示装置１１０にミラーアクセサリ１１３が装着されていない状態における、画像表示部１１２に表示されている画像を示す図である。ミラーアクセサリ１１３を装着すると、回転角度検出部１１１は、マーカ３０１の位置によって図７Ｂに示すように角度を検出する。
【００３５】
その検出結果を受けて、システム制御部１０６は、ミラー２０４が３６０度どの角度にいてもユーザーが見たときに正位置表示させるように、画像表示部１１２に画像を表示させる。
【００３６】
例えば、検出角度が０度・１８０度位置にあるときは、図７Ｃのように、ミラーアクセサリ１１３に合わせた大きさで天地逆表示し、検出角度が９０度、２７０度位置にあるときは、図７Ｄのように、左右反転させた画像を表示する。
【００３７】
図７Ｅは、ユーザーが下から覗き込む状態を表した図である。回転角度検出部１１１の検出角度が０度なので、システム制御部１０６は、ユーザーがミラー２０４を介して画像表示部１１２の画像を見ると正位置に見えるように、天地逆表示した画像を表示させる。
【００３８】
第１の実施の形態によれば、ミラー２０４の回転角度を３６０度検出することができる。
【００３９】
（第２の実施の形態）
図８は、図２のミラーアクセサリ１１３の第２の実施の形態の裏面図、図９は、図１のデジタルカメラの第２の実施の形態の裏面図、図１０は、図９のデジタルカメラにおいて、図８のミラーアクセサリ１１３を装着した状態を示す図である。
【００４０】
図８において、円台２０２の上下部分に、光を反射する反射板などで構成した半円弧形状の第１のマーカー４０１及び第２のマーカー４０２を配置する。
【００４１】
図９において、液晶表示装置１１０に外光検出センサ４０３を備える。図１０において、円台２０２が回転すると同時に、裏面に配置された第１のマーカー４０１及び第２のマーカー４０２も回転する。そして、システム制御部１０６は、第１のマーカー４０１及び第２のマーカー４０２が外光検出センサ４０３に被っているか否かで、ミラー２０４の上下及び左右方向を検出し、表示制御をする。
【００４２】
第２の実施の形態によれば、安価で簡単に、ミラー２０４の上下・左右方向を検出することができる。
【００４３】
以上説明したように、本発明の実施の形態によれば、装着されたミラーアクセサリ１１３の向いている方向を検出し、液晶表示装置１１０に表示されている画像を、ユーザーが見やすいように変更することができる。
【符号の説明】
【００４４】
１０１  撮影レンズ
１０３  撮像素子
１０６  システム制御部
１０８  カメラ制御マイコン
１１０  液晶表示装置
１１１  回転角度検出部
１１２  画像表示部
１１３  ミラーアクセサリ
【図１】
2010233014.tif 000003
【図２】
2010233014.tif 000004
【図３】
2010233014.tif 000005
【図４】
2010233014.tif 000006
【図５】
2010233014.tif 000007
【図６】
2010233014.tif 000008
【図７Ａ】
2010233014.tif 000009
【図７Ｂ】
2010233014.tif 000010
【図７Ｃ】
2010233014.tif 000011
【図７Ｄ】
2010233014.tif 000012
【図７Ｅ】
2010233014.tif 000013
【図８】
2010233014.tif 000014
【図９】
2010233014.tif 000015
【図１０】
2010233014.tif 000016